(57)【要約】  【課題】  効率の良いスピンドルモータ起動を行うことができるディスク再生装置を提供する。  【解決手段】  送りモータ４、ドライバ回路５、デコーダＬＳＩ７、及びシステムコントローラ１１から成る制御手段が、ショックプルーフメモリ８に記憶された信号量に応じてピックアップ３の駆動／非駆動及びスピンドルモータ３を線速度一定又は前記ディスクを複数の領域に分けた各領域において角速度一定で回転させるサーボ制御駆動／非駆動を切り替え、スピンドルモータ３のサーボ制御駆動を開始する際に、ミニディスク１の信号読み取り開始位置に応じて起動印加電圧の値を設定し、前記起動印加電圧をスピンドルモータ３に印加してスピンドルモータ３を起動させたのち、前記サーボ制御駆動を開始することを特徴とするディスク再生装置。【選択図】      図１
2005285192.tif 000002
【特許請求の範囲】
【請求項１】
ディスクを回転させるためのスピンドルモータと、前記ディスクに記録された信号を読み出すためのピックアップと、前記ピックアップにより前記ディスクから読み出された信号を一時記憶するメモリと、前記メモリに記憶された信号を再生する再生手段と、前記メモリに記憶された信号量に応じて前記ピックアップの駆動／非駆動及び前記スピンドルモータを線速度一定又は前記ディスクを複数の領域に分けた各領域において角速度一定で回転させるサーボ制御駆動／非駆動を切り替える制御手段と、を備え、
前記制御手段が、前記スピンドルモータのサーボ制御駆動を開始する際に、前記ディスクの信号読み取り開始位置に応じて起動印加電圧の値を設定し、前記起動印加電圧を前記スピンドルモータに印加して前記スピンドルモータを起動させたのち、前記サーボ制御駆動を開始することを特徴とするディスク再生装置。
【請求項２】
前記制御手段が、前記スピンドルモータのサーボ制御駆動を開始する際に、前記ディスクの信号読み取り開始位置に応じて起動印加電圧の値と前記スピンドルモータに前記起動印加電圧を印加する時間である起動時間の値とを設定し、前記起動印加電圧を前記起動時間前記スピンドルモータに印加して前記スピンドルモータを起動させたのち、前記サーボ制御駆動を開始する請求項１に記載のディスク再生装置。
【請求項３】
前記ディスク再生装置の各部に電力を供給する電源の出力電圧値を検出する検出手段を備え、
前記制御手段が、前記スピンドルモータのサーボ制御駆動を開始する際に、前記ディスクの信号読み取り開始位置と前記検出手段によって検出される前記電源の出力電圧値とに応じて起動印加電圧の値を設定し、前記起動印加電圧を前記スピンドルモータに印加して前記スピンドルモータを起動させたのち、前記サーボ制御駆動を開始する請求項１に記載のディスク再生装置。
【請求項４】
前記制御手段が、前記スピンドルモータのサーボ制御駆動を開始する際に、前記ディスクの信号読み取り開始位置と前記検出手段によって検出される前記電源の出力電圧値とに応じて起動印加電圧の値と前記スピンドルモータに前記起動印加電圧を印加する時間である起動時間の値とを設定するとともに、その設定によって前記ディスクの信号読み取り開始位置が同一である場合には前記起動印加電圧の値と前記起動時間の値との積が一定になるようにし、前記起動印加電圧を前記起動時間前記スピンドルモータに印加して前記スピンドルモータを起動させたのち、前記サーボ制御駆動を開始する請求項１に記載のディスク再生装置。
【発明の詳細な説明】
【技術分野】
【０００１】
本発明は、ディスクに記録された音声／音楽データ等の情報信号を再生するディスク再生装置に関するものである。
【背景技術】
【０００２】
従来のディスク再生装置として、ここではミニディスク再生装置(以下、ＭＤ再生装置と呼ぶ)を例に挙げて説明を行う。ＭＤ再生装置は、記録媒体であるミニディスク(以下、ＭＤと呼ぶ)にデジタル記録された音声／音楽データ等の情報信号を再生するデジタルオーディオ機器である。ＭＤにデジタル記録された情報信号には時間軸圧縮が施されているため、ＭＤ再生装置は、ＭＤから読み出した情報信号を時間軸伸長した後にデジタル／アナログ変換することで、元の音声／音楽データ等を再生する。
【０００３】
ＭＤ再生装置は、ＭＤの回転が1倍速の場合、ピックアップにて1.4Mbit/秒の速度でＭＤからのメイン情報である音声／音楽データ等を読み出し、信号処理回路にて0.3Mbit/秒の速度でデータの時間軸伸長を行う。従って、ＭＤ再生装置においては、ピックアップのデータ読み取り速度と時間軸伸長して再生されるデータの送り出し速度との差を吸収するために、ＭＤより読み取った時間軸圧縮された音声／音楽データ等を、一旦、Ｄ−ＲＡＭのような半導体メモリに格納し、そこから0.3Mbit/秒の速度にてデータを読み出して再生するようになっている。
【０００４】
また、ＭＤ再生装置においては、ピックアップのデータ読み取り速度と時間軸伸長して再生されるデータの送り出し速度との差を利用して、ＭＤから読み取った時間軸圧縮された音声／音楽データ等を、上記半導体メモリに、常に所定のデータ量以上記憶しておくようにしている。こうすることにより、ＭＤ再生装置本体に振動等の外乱が印加されてピックアップが正しいトラックから外れた場合でも、上記半導体メモリ内のデータが無くなる前にピックアップを正しいトラックに復帰させれば、再生音が途切れないようにすることができる。
【０００５】
上記半導体メモリは、一般にショックプルーフメモリと呼ばれ、ポータブルＭＤ再生装置の場合、通常16MbitのＤ−ＲＡＭが用いられる。このショックプルーフメモリにおいては、再生中、その容量の一部がショックプルーフメモリのデータ入出力におけるデータ転送速度の差を吸収するＷＯＲＫ−ＲＡＭとして働き、また、その容量の別の一部が再生しているＭＤのＵ−ＴＯＣ情報等の情報を格納し、そして残りの容量がショックプルーフ用として利用されている。
【０００６】
例えば、上記ショックプルーフメモリが16MbitのＤ−ＲＡＭであって、ＭＤの回転が1.5倍速の場合、ピックアップのデータ読み取り速度と時間軸伸長して再生されるデータの送り出し速度との差は、1.8Mbit/秒（=1.5×1.4−0.3）であり、ＭＤからのデータの読み出し開始後約9秒にてショックプルーフメモリは容量一杯となり、再生時間にして約48秒のデータが記憶される。
【０００７】
ショックプルーフメモリが記憶データによって容量一杯となった場合、その後所定時間が経過するまで、ＭＤから読み出されたデータの記憶は行われず、ショックプルーフメモリからのデータの読み出しのみが行われる。これにより、ショックプルーフメモリの容量に空き領域が生じるので、この空き領域に、再びＭＤから読み出されたデータが順次格納され、ショックプルーフメモリが記憶データによって容量一杯になったところで、再びショックプルーフメモリからのデータの読み出しのみが行われる。以下、同様の動作が繰り返される。
【０００８】
一方、低消費電力化の観点から、ショックプルーフメモリが記憶データによって容量一杯となった後、ＭＤからのデータの読み出しやピックアップやモータ等の動作を停止し、ショックプルーフメモリ内の記憶データが所定残量になるまでショックプルーフメモリからのデータの読み出しのみを行い、ＭＤからのデータの空読みによる電力消費を削減できるようにしてもよい。かかる動作は、主にポータブルＭＤ再生装置において採用されており、その理由は、ポータブルＭＤ再生装置では、通常、電源として充電池や乾電池が使用されており、電池交換を行わないで連続使用できる時間が限定されるため、可能な限り消費電力を抑えて長時間使用を可能にすることが望まれているためである。
【０００９】
そして、更なる消費電力低減のために、ＭＤからのデータの読込みを休止する休止モード（スリープモード）から、データの読込みモード（アクティブモード）に移行する際に、スピンドルモータに一定の起動電圧の印加を開始してからフォーカスをオンさせるためのフォーカス・サーチ動作を開始するまでの時間を、データの読込みを開始するトラック位置に応じて変化させて、スピンドルモータの起動時の消費電力を低減させるＭＤ再生装置が提案されている（例えば、特許文献１参照）。
【特許文献１】特開２００１−２０６８８号公報
【発明の開示】
【発明が解決しようとする課題】
【００１０】
ところが、特許文献１で提案されているＭＤ再生装置では、スピンドルモータ起動時にスピンドルドライバ回路からスピンドルモータに供給されるスピンドル信号 (スピンドルモータ駆動電圧)が、スピンドルモータ起動後にデータの読込みを開始するトラック位置に拘わらず一定であるので、そのトラック位置がＭＤの内周領域にあるときにはスピンドルモータ起動時間が長くなり、効率の良いスピンドルモータ起動が行えないといった問題があった。
【００１１】
また、特許文献１で提案されているＭＤ再生装置において電源として充電池や乾電池を用いた場合、ＭＤ再生装置を動作させているうちに電源電圧が低下していくが、それにも拘わらずスピンドルモータ起動時にスピンドルドライバ回路からスピンドルモータに供給されるスピンドル信号 (スピンドルモータ駆動電圧)は一定であるので、電源電圧が低下すると電源にかかる負担が大きくなるといった問題があった。
【００１２】
本発明は、上記の問題点に鑑み、効率の良いスピンドルモータ起動を行うことができるディスク再生装置を提供することを第一の目的とする。また、効率の良いスピンドルモータ起動を行うことができ且つ電源電圧が低下したときに電源にかかる負担を小さくすることができるディスク再生装置を提供することを第二の目的とする。
【課題を解決するための手段】
【００１３】
上記第一の目的を達成するために本発明に係るディスク再生装置は、ディスクを回転させるためのスピンドルモータと、前記ディスクに記録された信号を読み出すためのピックアップと、前記ピックアップにより前記ディスクから読み出された信号を一時記憶するメモリと、前記メモリに記憶された信号を再生する再生手段と、前記メモリに記憶された信号量に応じて前記ピックアップの駆動／非駆動及び前記スピンドルモータを線速度一定又は前記ディスクを複数の領域に分けた各領域において角速度一定で回転させるサーボ制御駆動／非駆動を切り替える制御手段と、を備え、前記制御手段が、前記スピンドルモータのサーボ制御駆動を開始する際に、前記ディスクの信号読み取り開始位置に応じて起動印加電圧の値を設定し、前記起動印加電圧を前記スピンドルモータに印加して前記スピンドルモータを起動させたのち、前記サーボ制御駆動を開始するようにしている。
【００１４】
このような構成によると、ディスクの信号読み取り開始位置に応じて起動印加電圧の値を設定することができるので、例えば、ディスクの信号読み取り開始位置がディスクの内周領域であるときに起動印加電圧の値を高く設定することで、スピンドルモータの起動時間が長くなることを防止することができ、効率の良いスピンドルモータ起動が行える。
【００１５】
また、前記制御手段が、前記スピンドルモータのサーボ制御駆動を開始する際に、前記ディスクの信号読み取り開始位置に応じて起動印加電圧の値と前記スピンドルモータに前記起動印加電圧を印加する時間である起動時間の値とを設定し、前記起動印加電圧を前記起動時間前記スピンドルモータに印加して前記スピンドルモータを起動させたのち、前記サーボ制御駆動を開始するようにしてもよい。
【００１６】
このような構成によると、ディスクの信号読み取り開始位置に応じて起動時間を設定することができるので、起動印加電圧の設定範囲に上限値や下限値を設けた場合でも起動時間の設定値を変えることで、スピンドルモータの回転数をサーバに引き込める回転数まで上昇させることができる。
【００１７】
上記第二の目的を達成するために本発明に係るディスク再生装置は、ディスクを回転させるためのスピンドルモータと、前記ディスクに記録された信号を読み出すためのピックアップと、前記ピックアップにより前記ディスクから読み出された信号を一時記憶するメモリと、前記メモリに記憶された信号を再生する再生手段と、前記メモリに記憶された信号量に応じて前記ピックアップの駆動／非駆動及び前記スピンドルモータを線速度一定又は前記ディスクを複数の領域に分けた各領域において角速度一定で回転させるサーボ制御駆動／非駆動を切り替える制御手段と、前記ディスク再生装置の各部に電力を供給する電源の出力電圧値を検出する検出手段と、を備え、前記制御手段が、前記スピンドルモータのサーボ制御駆動を開始する際に、前記ディスクの信号読み取り開始位置と前記検出手段によって検出される前記電源の出力電圧値とに応じて起動印加電圧の値を設定し、前記起動印加電圧を前記スピンドルモータに印加して前記スピンドルモータを起動させたのち、前記サーボ制御駆動を開始するようにしてもよい。
【００１８】
ディスクの信号読み取り開始位置に応じて起動印加電圧の値を設定することができるので、例えば、ディスクの信号読み取り開始位置がディスクの内周領域であるときに起動印加電圧の値を高く設定することで、スピンドルモータの起動時間が長くなることを防止することができ、効率の良いスピンドルモータ起動が行える。また、このような構成によると、電源の出力電圧値に応じて起動印加電圧の値を設定することができるので、例えば、電源の出力電圧値が所定値未満であるときに起動印加電圧の値を低く設定することで、電源の出力電圧が低下したときに電源にかかる負担を小さくすることができる。
【００１９】
また、前記制御手段が、前記スピンドルモータのサーボ制御駆動を開始する際に、前記ディスクの信号読み取り開始位置と前記検出手段によって検出される前記電源の出力電圧値とに応じて起動印加電圧の値と前記スピンドルモータに前記起動印加電圧を印加する時間である起動時間の値とを設定するとともに、その設定によって前記ディスクの信号読み取り開始位置が同一である場合には前記起動印加電圧の値と前記起動時間の値との積が一定になるようにし、前記起動印加電圧を前記起動時間前記スピンドルモータに印加して前記スピンドルモータを起動させたのち、前記サーボ制御駆動を開始するようにする。
【００２０】
このような構成によると、ディスクの信号読み取り開始位置が同一である場合にはスピンドルモータの起動時にスピンドルモータに供給される電力積が概ね一定になるので、たとえ電源の出力電圧値が変化してもディスクの信号読み取り開始位置が同一であれば起動終了時点でのスピンドルモータの回転数が変化しないようにすることができる。
【発明の効果】
【００２１】
本発明によると、効率の良いスピンドルモータ起動を行うことができるディスク再生装置を実現することができる。また、本発明によると、効率の良いスピンドルモータ起動を行うことができ且つ電源電圧が低下したときに電源にかかる負担を小さくすることができるディスク再生装置を実現することができる。
【発明を実施するための最良の形態】
【００２２】
本発明の一実施形態について図面を参照して以下に説明する。本発明に係るディスク再生装置として、ここではＭＤ再生装置を例に挙げて説明を行う。
【００２３】
本発明に係るＭＤ再生装置の概略構成を図１に示す。ＭＤ１は、同心円状または螺旋状のトラックを有しており、そのトラックに沿って音声／音楽データ等の情報信号がデジタル記録されている。また、ＭＤ１には音声／音楽データ等の主情報以外に、ディスクタイトル名、各トラックタイトル名、及び音声／音楽データが格納されている位置のアドレス情報等を含んだＵ−ＴＯＣ情報も記録されている。
【００２４】
ＭＤ１に記録された情報信号を再生する際、図１に示すＭＤ再生装置は、ＭＤ１をスピンドルモータ２によって線速度一定又はＭＤ１を複数の領域に分けた各領域において角速度一定で回転させると共に、ピックアップ３を送りモータ４によってＭＤ１の半径方向にステップ駆動させる。そして、所定のトラックに位置決めしたピックアップ３からＭＤ１に向けてレーザービームが照射され、その反射光の強弱変化を再びピックアップ３で検出することにより前記情報信号の読み取りが行われる。なお、詳細は後述するが、消費電力を低減する観点から、図１に示すＭＤ再生装置は、ＭＤ１を線速度一定又はＭＤ１を複数の領域に分けた各領域において角速度一定で回転させる制御即ちディスクスピンのサーボ制御及び前記情報信号の読み取りを間欠的に行っている。
【００２５】
ここで、ピックアップ３は、レーザ光源、コリメータレンズ、ビームスプリッタ、対物レンズアクチュエータ、及びディテクタ(いずれも図示せず)等によって構成されている。なお、スピンドルモータ２、ピックアップ３、及び送りモータ４の駆動制御は、全てドライバ回路５が行っている。したがって、ドライバ回路５の中にスピンドルモータ駆動回路も含まれている。
【００２６】
ピックアップ３は、ＭＤ１から読み取った前記情報信号をＲＦアンプ６に送出する。ＲＦアンプ６は、前記情報信号を増幅して、信号処理回路、サーボ回路、伸長回路、ショックプルーフメモリコントローラ、及びＤ／Ａコンバータ等を有するＬＳＩ（以下、デコーダＬＳＩと呼ぶ）７に出力すると共に、前記情報信号に基づいて、フォーカスエラー信号及びトラッキングサーボ信号といったサーボ制御信号を生成して、デコーダＬＳＩ７内のサーボ回路に出力する。デコーダＬＳＩ７内のサーボ回路は、前記サーボ制御信号、デコーダＬＳＩ７内の信号処理回路からのアドレス信号、及びシステムコントローラ用マイクロコンピュータ(以下、システムコントローラと呼ぶ)１１からのコントロール信号に従って、ドライバ回路５を制御することで、フォーカシング、トラッキング、及びディスクスピンといった各種動作のサーボ制御を行っている。
【００２７】
一方、デコーダＬＳＩ７内の信号処理回路は、ＲＦアンプ６で増幅された前記情報信号について、アドレス信号の抽出、主信号の復調、誤り訂正といった処理を施す。そして、処理の済んだ前記情報信号を、デコーダＬＳＩ７内のショックプルーフメモリコントローラ(以下、メモリコントローラと呼ぶ)に送出する。デコーダＬＳＩ７内のメモリコントローラは、ショックプルーフメモリ８に対する情報の書き込み及び読み出しを制御する制御回路であり、デコーダＬＳＩ７内の信号処理回路からの前記情報信号は、デコーダＬＳＩ７内のメモリコントローラによって、一旦、ショックプルーフメモリ８に書き込まれる。この際の書き込み速度は、ＭＤ１の回転が1.5倍速の場合、1.5×1.4Mbit/秒である。
【００２８】
また、デコーダＬＳＩ７内のメモリコントローラは、ショックプルーフメモリ８から0.3Mbit/秒の読み出し速度で前記情報信号を読み出して、デコーダＬＳＩ７内の伸長回路に送出する。
【００２９】
このように、ＭＤ１から読み出した前記情報信号をショックプルーフメモリ８に書き込む速度と、ショックプルーフメモリ８からデコーダＬＳＩ７内の伸長回路に前記情報信号を送出する速度との間には、1.8Mbit/秒（=1.5×1.4−0.3）の差異がある。この処理速度の差によって、ショックプルーフメモリ８には時間軸圧縮を解く前の前期情報信号が蓄積されることになる。
【００３０】
さらに、ショックプルーフメモリ８は、ＭＤ１より読み出したＵ−ＴＯＣ情報の格納も行っており、このＵ−ＴＯＣ情報からディスクタイトル名や各トラックタイトル名等の他に例えばＭＤ１に記録されている各曲のスタート位置、エンド位置、或いは時間情報等も得ることができる。
【００３１】
デコーダＬＳＩ７内の伸長回路は、入力された前記情報信号を所定のフォーマットに従って時間軸伸長することで圧縮を解き、デコーダＬＳＩ７内のＤ／Ａコンバータに送る。デコーダＬＳＩ７内のＤ／Ａコンバータは、圧縮を解かれた前記情報信号をアナログ変換することで、音声／音楽データ等を生成する。そして、デコーダＬＳＩ７内のＤ／Ａコンバータによって生成された音声／音楽データ等は、アンプ回路９によって音量等が調節された後、ヘッドホンスピーカ１０によって音に変換され、使用者に聴取される。
【００３２】
また、システムコントローラ１１は、電源電圧検出回路１３によって検出された電源１４の電圧値を常時監視しており、電源１４の電圧値がＭＤ１の再生動作に適しているか否かを判定し、電源１４の電圧値がＭＤ１の再生動作に適していると判定した場合に電源回路１２を動作させる。電源回路１２はＤＣ−ＤＣ変換回路等で構成されており、図１に示すＭＤ再生装置の各部に必要な電圧を供給している。なお、電源１４には、携帯性が良く長寿命のリチウムイオン充電池やＮｉ−ＭＨ充電池等を用いると良い。
【００３３】
次に、図１に示すＭＤ再生装置の再生動作について図２のフローチャートを参照して具体的に説明する。ＭＤ１を再生している状態にて、システムコントローラ１１は、デコーダＬＳＩ７を介して、ショックプルーフメモリ８に格納されているデータ量であるメモリ格納量を検出し、メモリ格納量が、新たにショックプルーフメモリ８にデータを追加する必要の有ることを規定する値である最小設定値Ｒｍｉｎ以下であるか否かを判定する（ステップｍ１）。メモリ格納量が最小設定値Ｒｍｉｎ以下でなければ（ステップｍ１のＮＯ）、再度ステップｍ１に戻り、メモリ格納量が最小設定値Ｒｍｉｎ以下になるまでショックプルーフメモリ８からの情報信号の読み出しが続行される。一方、メモリ格納量が最小設定値Ｒｍｉｎ以下であれば、ステップｍ２に移行する。
【００３４】
ステップｍ２において、システムコントローラ１１は、前回メモリー格納量が最大設定値Ｒｍａｘに達してデータを読み終えたときに記録しておいたアドレス情報を内部メモリから読み出し、今回の読み取り開始位置がＭＤ１のどの位置かを確認する。なお、今回が初回である場合には、キー入力等により指定された読み取り開始位置がＭＤ１のどの位置かを確認する。続くステップｍ３において、システムコントローラ１１は、電源電圧検出回路１３の出力から、電源１４の出力電圧値（例えば、充電池の端子電圧の値）を確認し、ステップｍ４に移行する。
【００３５】
ステップｍ４において、システムコントローラ１１は、ステップｍ２にて確認した読み取り開始位置とステップｍ３にて確認した電源１４の出力電圧値に応じて、スピンドルモータ２の起動印加電圧Ｖを決定する。また、続くステップｍ５において、システムコントローラ１１は、ステップｍ２にて確認した読み取り開始位置とステップｍ３にて確認した電源１４の出力電圧値に応じて、スピンドルモータ２に起動印加電圧Ｖを印加する時間（以下、起動時間と呼ぶ）ｔを決定する。
【００３６】
その後、ステップｍ６において、システムコントローラ１１はステップｍ４にて決定した起動印加電圧Ｖとステップｍ５にて決定した起動時間ｔの情報をデコーダＬＳＩ７に送り、デコーダＬＳＩ７内のサーボ回路とドライバ回路５とがシステムコントローラ１１から送られた起動印加電圧Ｖと起動時間ｔの情報に基づいてスピンドルモータ２の起動を行う。したがって、スピンドルモータ２に起動印加電圧Ｖが印加され、スピンドルモータ２の起動が開始される。
【００３７】
続くステップｍ７において、システムコントローラ１１は、内部タイマによりスピンドルモータ２の起動開始からの経過時間を測定し、その経過時間が起動時間ｔに達したか否かを判定する。スピンドルモータ２の起動開始からの経過時間が起動時間ｔに達したと判定されれば（ステップｍ７のＹＥＳ）、ステップｍ８に移行する。一方、スピンドルモータ２の起動開始からの経過時間が起動時間ｔに達していないと判定されれば（ステップｍ７のＮＯ）、再度ステップｍ７に戻り、スピンドルモータ２の起動開始からの経過時間が起動時間ｔに達するまで判定を続ける。
【００３８】
ステップｍ８において、デコーダＬＳＩ７内のサーボ回路は、ドライバ回路５から送られる回転数出力（ＦＧ出力）を入力し、スピンドルモータ２の回転数延いてはＭＤ１の回転数がサーボに引き込めるまでの回転数に達しているか否かを判定する。スピンドルモータ２の回転数がサーボに引き込めるまでの回転数に達していないと判定されれば（ステップｍ８のＮＯ）、システムコントローラ１１に起動時間ｔの再設定を促し（ステップｎ１）、スピンドルモータ２の回転数延いてはＭＤ１の回転数をサーボに引き込めるまでの回転数に上げるために起動時間ｔが所定時間だけ延長されたのち、ステップｍ７に戻る。一方、スピンドルモータ２の回転数がサーボに引き込めるまでの回転数に達していると判定されれば（ステップｍ８のＹＥＳ）、ステップｍ９に移行する。
【００３９】
ステップｍ９においては、システムコントローラ１１からの指令により、ピックアップ３がレーザーを点灯させる。そして、続くステップ１０において、デコーダＬＳＩ７内のサーボ回路は、全サーボを起動して、ＭＤ１を線速度一定又はＭＤ１を複数の領域に分けた各領域において角速度一定で回転させてＭＤ１からデータを読み出すための準備を行う。
【００４０】
その後、ステップｍ１１において、ＭＤ１に記録されているデータの読み取りを開始する。続くステップｍ１２において、システムコントローラ１１は、デコーダＬＳＩ７を介して、ショックプルーフメモリ８に格納されているデータ量であるメモリ格納量を検出し、メモリ格納量が、これ以上ショックプルーフメモリ８内にデータを追加する必要のないことを規定する値である最大設定値Ｒｍａｘ以上であるか否かを判定する。
【００４１】
メモリ格納量が最小設定値Ｒｍａｘ以上でなければ（ステップｍ１２のＮＯ）、ステップｍ１１に戻り、ＭＤ１に記録されているデータの読み取りを続行する。一方、メモリ格納量が最大設定値Ｒｍａｘ以上であると判定されれば（ステップｍ１２のＹＥＳ）、デコーダＬＳＩ７内のサーボ回路は全サーボを停止し、システムコントローラ１１からの指令によりピックアップ３がレーザーを消灯させ、ＭＤ１からのデータの読み取りも停止する（ステップｍ１３）。スピンドルモータ２のサーバ制御が停止されるので、ＭＤ１の回転は、線速度一定又はＭＤ１を複数の領域に分けた各領域において角速度一定の回転から慣性回転に移行する。
【００４２】
続くステップｍ１４において、システムコントローラ１１は、ステップｍ１３にてＭＤ１からのデータの読み取りを停止したときのアドレス情報を内部メモリに記録する。そして、その後ステップｍ１に戻り、以後上記ステップの繰り返しとなる。
【００４３】
更に、図１に示すＭＤ再生装置の再生動作について図３〜図５のタイムチャートを参照して説明する。なお、図３はＭＤ１のデータ読み取り位置が内周部分であり且つ電源１４の出力電圧が所定値以上である場合のタイムチャートであり、図４はＭＤ１のデータ読み取り位置が外周部分であり且つ電源１４の出力電圧が所定値以上である場合のタイムチャートであり、図５はＭＤ１のデータ読み取り位置が内周部分であり且つ電源１４の出力電圧が所定値未満である場合のタイムチャートである。
【００４４】
まず、再生時の全サーボが停止している状態において、メモリ格納量が減少して最小設定値Ｒｍｉｎに達した時点ＴＰ１から、起動印加電圧Ｖが立ち上がってスピンドルモータ２の起動が開始される。
【００４５】
ＭＤ１の読み取り開始位置と電源１４の出力電圧値に応じて決定された起動印加電圧Ｖと起動時間ｔにしたがってスピンモータ２を起動し、スピンドルモータ２の回転数延いてはＭＤ１の回転数を上昇させる。
【００４６】
例えば、ＭＤ１のデータ読み取り位置が内周部分であり且つ電源１４の出力電圧が所定値以上である場合、図３に示すように起動印加電圧Ｖの値をＶ１とし、起動時間ｔの値をｔ１とする。逆に、ＭＤ１のデータ読み取り位置が外周部分であり且つ電源１４の出力電圧が所定値以上である場合、図４に示すように起動印加電圧Ｖの値をＶ２（＜Ｖ１）とし、起動時間ｔの値をｔ１とする。このように、ＭＤ１の読み取り開始位置に応じて起動印加電圧Ｖを設定することで、ＭＤ１のデータ読み取り位置が内周部分である場合でも起動時間を短くすることができ、上記の例のようにＭＤ１のデータ読み取り位置が異なっても起動時間をほぼ一定にすることが可能となる。
【００４７】
また、ＭＤ１のデータ読み取り位置が内周部分であり且つ電源１４の出力電圧が所定値未満である場合、図５に示すように起動印加電圧Ｖの値をＶ２（＜Ｖ１）とし、起動時間ｔの値をｔ２（＞ｔ１）とする。このように、電源１４の出力電圧が所定値以上である場合に比べて起動印加電圧Ｖを小さくすることで、起動時間は若干長くなるが、スピンドルモータ２の起動における電源１４の負担を軽くすることができる。
【００４８】
そして、スピンドルモータ２の回転数が、サーボ引きこみに必要な回転数（ＭＤ１のデータ読み取り位置が内周部分のときはｆＳ１、ＭＤ１のデータ読み取り位置が外周部分のときはｆＳ２（＜ｆＳ１））に達すると、レーザーが点灯し、全サーボが起動し、一定の線速度又はＭＤ１を複数の領域に分けた各領域において角速度一定でＭＤ１が回転して、ＭＤ１に記録されているデータの読み込みが開始される。その後、メモリ格納量が増大して最大設定値Ｒｍａｘに達した時点ＴＰ２またはＴＰ２’で、レーザーが消灯し、全サーボが停止する。以後、上記タイムチャートを繰り返すこととなる。
【００４９】
起動印加電圧Ｖは、ＭＤ１のデータ読み出し開始位置と電源１４の出力電圧値から計算して、ＭＤ１のデータ読み出し開始位置と電源１４の出力電圧値それぞれに対して連続的に対応した値になるようにしても良いし、ＭＤ１のデータ読み出し開始位置と電源１４の出力電圧値をそれぞれいくつかのテーブルに分け、そのテーブルに沿って起動印加電圧Ｖの値を決定しても良い。基本的には、ＭＤ１のデータ読み出し開始位置が外周であるほど起動印加電圧Ｖの値を小さくし、電源１４の出力電圧値が小さいほど起動印加電圧Ｖの値を小さくすると良い。また、出力電圧が低くなった電源１４の負担軽減を図れなくなるが、ＭＤ１のデータ読み出し開始位置のみに応じて起動印加電圧Ｖの値を設定しても構わない。
【００５０】
また、起動時間ｔの値はできるだけ小さい値に固定することが望ましいが、起動印加電圧Ｖの設定範囲に上限値や下限値がある場合は、起動時間ｔも起動印加電圧Ｖと同様にＭＤ１のデータ読み出し開始位置と電源１４の出力電圧値に応じた値或いはＭＤ１のデータ読み出し開始位置のみに応じた値になるようにする。そして、電源１４の出力電圧値に応じて起動印加電圧Ｖの設定を変化させる場合、ＭＤ１のデータ読み出し開始位置が同一であれば、起動印加電圧値Ｖと起動時間ｔの積が一定となるように、起動印加電圧値Ｖと起動時間ｔの値を設定することが望ましい。
【００５１】
なお、上述した実施形態においては、ＭＤ再生装置を例に挙げて説明を行ったが、本発明はＭＤ再生装置に限るものではなく、ディスクから読み出した情報信号をメモリに格納しながら、前記メモリに対する書き込み速度より遅い速度で前記メモリから前記情報を読み出すことで、前記メモリに前記情報信号を蓄積しつつ前記ディスクの再生を行うディスク再生装置に広く適用し得るものである。
【図面の簡単な説明】
【００５２】
【図１】は、本発明に係るＭＤ再生装置の概略構成を示すブロック図である。
【図２】は、図１のＭＤ再生装置の再生動作を示すフローチャートである。
【図３】は、ＭＤのデータ読み取り位置が内周部分であり且つ電源の出力電圧が所定値以上である場合における図１のＭＤ再生装置の再生動作を示すタイムチャートである
【図４】は、ＭＤのデータ読み取り位置が外周部分であり且つ電源の出力電圧が所定値以上である場合における図１のＭＤ再生装置の再生動作を示すタイムチャートである
【図５】は、ＭＤのデータ読み取り位置が内周部分であり且つ電源の出力電圧が所定値未満である場合における図１のＭＤ再生装置の再生動作を示すタイムチャートである
【符号の説明】
【００５３】
１    ミニディスク
２    スピンドルモータ
３    ピックアップ
４    送りモータ
５    ドライバ回路
６    ＲＦアンプ
７    デコーダＬＳＩ
８    ショックプルーフメモリ
９    アンプ回路
１０    ヘッドホンスピーカ
１１    システムコントローラ
１２    電源回路
１３    電源電圧検出回路
１４    電源
【図１】
2005285192.tif 000003
【図２】
2005285192.tif 000004
【図３】
2005285192.tif 000005
【図４】
2005285192.tif 000006
【図５】
2005285192.tif 000007